(57)【要約】      （修正有）【課題】蓄圧式と加圧式の両方のメリットを有し、さらには両方のデメリットを解決すると共に、両方の特長を生かして、窒素微噴霧消火の性能と機能をより高く発揮させることを可能とする。【解決手段】消火器１０の本体容器１２には、少量の水２０が収納されると共に低圧窒素ガス１８が充填され、本体容器１２の内部に配置されたガス容器１６に高圧窒素ガスが封入されている。本体容器１２の蓋部材１４に微噴霧ノズル機構が設けられ、レバー操作により本体容器１２のシール４８を開封して水２０を低圧窒素ガス１８の加圧によりノズル本体２６に送り込み、レバー操作により同時にガス容器１６を開封して高圧窒素ガスをノズル本体２６に送り込み、放出口３２から水を窒素ガスで微粒子化した窒素微噴霧を放出して消火する。【選択図】図１
2019033963.tif 000002
【特許請求の範囲】
【請求項１】
所定量の水が消火用水として収納されると共に所定の第１圧力範囲の低圧ガスが充填された本体容器と、
前記本体容器の内部に配置された前記第１圧力範囲より高い所定の第２圧力範囲の高圧ガスが封入されたガス容器と、
前記本体容器の開口部に配置された蓋部材に設けられ、レバー操作により前記本体容器を開封して前記消火用水を前記低圧ガスの加圧により外部に放出させると共に前記ガス容器を開封して前記高圧ガスを外部に放出させる微噴霧ノズル機構と、
が設けられたことを特徴とする消火器。
【請求項２】
請求項１記載の消火器に於いて、前記微噴霧ノズル機構は、前記本体容器の開封により前記低圧ガスの加圧により送り出された前記消火用水と前記ガス容器の開封で送り出された前記高圧ガスを内部で混合して前記水の微噴霧を外部に放出させることを特徴とする消火器。
【請求項３】
請求項２記載の消火器に於いて、前記微噴霧ノズル機構は、
混合室に連通する第１導入口、第２導入口及び放出口を備えたノズル本体と、
前記ノズル本体の前記第２導入口に上端が連結され、下端が前記水に浸漬して配置されたサイホン管と、
前記レバー操作により前記ガス容器のシールを破封させ、前記混合室に前記高圧ガスを供給する破封部材と、
前記第２導入口から前記混合室に至る経路に閉鎖状態で配置され、前記レバー操作又は前記ガス容器から放出された前記高圧ガスによる作動で前記経路を開放して前記混合室に前記低圧ガスで加圧された前記水を供給するシール部材と、
が設けられたことを特徴とする消火器。
【請求項４】
請求項１記載の消火器に於いて、前記微噴霧ノズル機構は、前記本体容器の開封により前記低圧ガスの加圧により送り出された前記消火用水の微噴霧を外部に放出すると共にと前記ガス容器の開封で送り出された前記高圧ガスを外部に放出して前記微噴霧と混合させることを特徴とする消火器。
【請求項５】
請求項４記載の消火器に於いて、前記ノズル機構は、
第１放出口に連通する第１導入口と第２放出口に連通する第２導入口を備えたノズル本体と、
前記ノズル本体の前記第２導入口に上端が連結され、下端が水に浸漬して配置されたサイホン管と、
レバー操作によりガス容器のシールを破封させ、前記第１導入口に高圧ガスを供給して前記第１放出口から放出させる破封部材と、
前記第２導入口から前記第２放出口に至る経路に閉鎖状態で配置され、レバー操作又は前記ガス容器から放出された高圧ガスによる作動で前記経路を開放して前記第２導入口に前記低圧ガスで加圧された水を供給して前記第２放出口から微噴霧を放出させるシール部材と、
が設けられたことを特徴とする消火器。
【請求項６】
請求項１記載の消火器に於いて、前記微噴霧ノズル機構は、
前記ガス容器を開封した場合に前記ガス容器から送り出された高圧ガスを外部に放出すると共に前記高圧ガスのガス圧による破封部材の作動により前記本体容器を開封して前記破封部材に前記低圧ガスで加圧された水圧を作用させ、前記高圧ガスのガス圧が低下した場合に前記破封部材を前記水圧により逆方向に作動して、前記低圧ガスによる前記消火用水の微噴霧を外部に放出させることを特徴とする消火器。
【請求項７】
請求項４記載の消火器に於いて、前記ノズル機構は、
第１放出口に連通する第１導入口と第２放出口に連通する第２導入口を備えたノズル本体と、
前記ノズル本体の前記第２導入口に上端が連結され、下端が水に浸漬して配置されたサイホン管と、
レバー操作によりガス容器のシールを破封させ、前記第１導入口に高圧ガスを供給して前記第１放出口から放出させる破封部材と、
第１シリンダ室と第２シリンダ室を連設すると共に前記第１シリンダ室に第１ピストンを摺動自在に収納すると共に前記第２シリンダ室に前記第１ピストンとロッド連結された第２ピストンを摺動自在に収納し、
レバー操作により前記ガス容器から放出された高圧ガスを外部に放出させると共に前記第１シリンダ室に導入して前記第１ピストンの摺動により前記ロッド先端の破封部材により前記本体容器を開栓して前記第２ピストンの当接により閉鎖状態とし、前記高圧ガスのガス圧の低下に対し前記前記低圧ガスで加圧された水による加圧で第２ピストンを摺動させて前記閉鎖状態を解除することにより、前記低圧ガスによる前記水の微噴霧を外部に放出させる放出切替機構と、
が設けられたことを特徴とする消火器。
【請求項８】
請求項４乃至７の何れかに記載の消火器に於いて、前記ノズル本体の前記高圧ガスが放出される前記第１放出口は環状開口として形成され、前記低圧ガスによる前記消火用水の微噴霧が放出される前記第２放出口は前記環状開口の中心穴として開口されたことを特徴とする消火器。
【請求項９】
請求項１記載の消火器に於いて、前記低圧ガスの圧力は１．０ＭＰａ以下であり、前記高圧ガスは２．０ＭＰａ以上としたことを特徴とする消火器。
【請求項１０】
請求項１又は２に記載の消火器に於いて、前記微噴霧ノズルから放出する微噴霧の平均粒子径は１０μｍ及至２００μｍであることを特徴とする消火器。
【発明の詳細な説明】
【技術分野】
【０００１】
本発明は、窒素ガスを混合した微噴霧を放出して火災を消火する消火器に関する。
【背景技術】
【０００２】
従来、消火器には、放射方式によって分類すると、加圧式と蓄圧式の２種類の放出方式がある。近年、加圧式の消火器を長期間悪環境下に放置したままにしておいたこと等で発生した腐食に気づかず、加圧式の消火器を操作したところ、消火器容器内部のＣＯ2等の高圧ガスカートリッジの起動によって、急激に容器内の圧力が上昇したため、消火器容器が破壊するという事故例が報告されている。
【０００３】
この危険性を回避するため、蓄圧式の消火器が近年主流となってきている。蓄圧式の消火器の場合は、常時消火器が０．７〜０．９８Ｍｐａ程度に蓄圧されているため、加圧式のように大気圧から急激な圧力上昇になる場合とは異なり、仮に消火器本体の腐食が進み、耐圧の低下が有った場合には、徐々に蓄圧気体が抜けていくため、大きな事故に繋がらないこと、また気体が漏洩した場合には圧力計によって、判断できるというメリットがあり、安全性の観点から主流となってきている。
【０００４】
一方、加圧式の消火器の場合は、常時、消火器内が加圧されていないため、圧力容器に負荷がかからず、腐食が発生しない限り長期に使用が可能であること、また高圧ガスはガスカートリッジに封入されているため、ガスが漏れず、火災時に確実に消火剤を放出できるという利点がある。しかし、前述したように、加圧式は消火器が腐食していた場合には、破損、破裂による大きな事故の発生が危慎される。
【先行技術文献】
【特許文献】
【０００５】
【特許文献１】特開平７−５１３９８号公報
【特許文献２】特開平１１−４７２９８号公報
【発明の概要】
【発明が解決しようとする課題】
【０００６】
このように従来の加圧式消火器や蓄圧式消火器に代わる消火器として、窒素ガスにより水を微噴霧化した窒素微噴霧を消火剤として放出する窒素微噴霧式の消火器が注目されている。
【０００７】
窒素微噴霧式の消火器は、非常に微細の粒子径(１０〜１００μｍ)を持つ水を加圧窒素によって放出するとともに、窒素ガスを放出することによって、窒素の窒息作用と極少量の水の冷却作用、及び水が蒸発する際に膨張して火炎近くの空気（酸素）を排除する窒息作用等の相乗効果で消火できるという特性を持っている。
【０００８】
しかしながら、窒素微噴霧が消火効果をより発揮するには、窒素を単に水を噴霧状にするためのエネルギーとして使用するだけでなく、十分な窒素量の噴出による窒息効果の促進が必要となる。
【０００９】
そこで、窒素微噴霧の消火器における放射方式として、蓄圧式を採用する場合、消火効果を発揮するためには、消火器の容積を大きくすること或いは蓄積量を多くするため窒素の蓄圧力を大きくすること、またはその両方が必要となる。特に消火器の内圧を上げると、必然として消火器の耐圧力を上げるため容器の肉厚を上げるなどの対策が必要となり、容器が重くなり持ち運びに大きな負担が掛かること、またコスト高になることが想定される。
【００１０】
また、窒素微噴霧の消火器における放射方式として、加圧式を採用する場合、消火効果を発揮するためには、なるべく放出圧力を上げて水を微細化するとともに、大量の窒素を放出する必要があり、起動した際の容器内庄力上昇が更に大きくなって、万一消火器が腐食していた場合には、破損、破裂による大きな事故の発生が危慎される。
【００１１】
本発明は、蓄圧式と加圧式の両方のメリットを有し、さらには両方のデメリットを解決すると共に、両方の特長を生かして、微噴霧消火の性能と機能をより高く発揮させることを可能とする消火器を提供することを目的とする。
【課題を解決するための手段】
【００１２】
（消火器）
本発明は、消火器において、
所定量の水が消火用水として収納されると共に所定の第１圧力範囲の低圧ガスが充填された本体容器と、
本体容器の内部に配置された第１圧力範囲より高い所定の第２圧力範囲の高圧ガスが封入されたガス容器と、
本体容器の開口部に配置された蓋部材に設けられ、レバー操作により本体容器を開封して消火用水を低圧ガスの加圧により外部に放出させると共にガス容器を開封して高圧ガスを外部に放出させる微噴霧ノズル機構と、
が設けられたことを特徴とする。
【００１３】
（２流体・内部混合方式）
微噴霧ノズル機構は、本体容器の開封により低圧ガスの加圧により送り出された消火用水とガス容器の開封で送り出された高圧ガスを内部で混合して水の微噴霧を外部に放出させる。
【００１４】
（２流体・内部混合ノズル構造）
微噴霧ノズル機構は、
混合室に連通する第１導入口、第２導入口及び放出口を備えたノズル本体と、
ノズル本体の第２導入口に上端が連結され、下端が水に浸漬して配置されたサイホン管と、
レバー操作によりガス容器のシールを破封させ、混合室に高圧ガスを供給する破封部材と、
第２導入口から混合室に至る経路に閉鎖状態で配置され、レバー操作又はガス容器から放出された高圧ガスによる作動で経路を開放して混合室に低圧ガスで加圧された水を供給するシール部材と、
が設けられる。
【００１５】
（２流体・外部混合方式）
微噴霧ノズル機構は、本体容器の開封により低圧ガスの加圧により送り出された消火用水の微噴霧を外部に放出すると共にガス容器の開封で送り出された高圧ガスを外部に放出して微噴霧と混合させる。
【００１６】
（２流体・外部混合ノズル構造）
微噴霧ノズル機構は、
第１放出口に連通する第１導入口と第２放出口に連通する第２導入口を備えたノズル本体と、
ノズル本体の第２導入口に上端が連結され、下端が水に浸漬して配置されたサイホン管と、
レバー操作によりガス容器のシールを破封させ、第１導入口に高圧ガスを供給して第１放出口から放出させる破封部材と、
第２導入口から第２放出口に至る経路に閉鎖状態で配置され、レバー操作又はガス容器から放出された高圧ガスによる作動で経路を開放して第２導入口に低圧ガスで加圧された水を供給して第２放出口から微噴霧を放出させるシール部材と、
が設けられる。
【００１７】
（２流体切替え方式）
微噴霧ノズル機構は、
ガス容器を開封した場合にガス容器から送り出された高圧ガスを外部に放出すると共に高圧ガスのガス圧による破封部材の作動により本体容器を開封して破封部材に低圧ガスで加圧された水圧を作用させ、高圧ガスのガス圧が低下した場合に破封部材を水圧により逆方向に作動して、低圧ガスによる消火用水の微噴霧を外部に放出させる。
【００１８】
（２流体切替方式のノズル構造）
ノズル機構は、
第１放出口に連通する第１導入口と第２放出口に連通する第２導入口を備えたノズル本体と、
ノズル本体の第２導入口に上端が連結され、下端が水に浸漬して配置されたサイホン管と、
レバー操作によりガス容器のシールを破封させ、第１導入口に高圧ガスを供給して第１放出口から放出させる破封部材と、
第１シリンダ室と第２シリンダ室を連設すると共に第１シリンダ室に第１ピストンを摺動自在に収納すると共に第２シリンダ室に第１ピストンとロッド連結された第２ピストンを摺動自在に収納し、レバー操作によりガス容器から放出された高圧ガスを外部に放出させると共に第１シリンダ室に導入して第１ピストンの摺動によりロッド先端の破封部材により本体容器を開栓して第２ピストンの当接により閉鎖状態とし、高圧ガスのガス圧の低下に対し低圧ガスで加圧された水による加圧で第２ピストンを摺動させて閉鎖状態を解除することにより、低圧ガスによる水の微噴霧を外部に放出させる放出切替機構と、
が設けられる。
【００１９】
（第１放出口と第２放出口の配置）
ノズル本体の高圧ガスが放出される第１放出口は環状開口として形成され、低圧ガスによる消火用水の微噴霧が放出される第２放出口は環状開口の中心穴として開口される。
【００２０】
（ガスの圧力）
低圧ガスの圧力は１．０ＭＰａ以下であり、高圧ガスは２．０ＭＰａ以上とする。
【００２１】
（微噴霧粒子径）
微噴霧ノズルから放出する微噴霧の平均粒子径は１０μｍ及至１００μｍである。
【発明の効果】
【００２２】
（基本的な効果）
本発明は、消火器において、所定量の水が消火用水として収納されると共に所定の第１圧力範囲の低圧ガスが充填された本体容器と、本体容器の内部に配置された第１圧力範囲より高い所定の第２圧力範囲の高圧ガスが封入されたガス容器と、本体容器の開口部に配置された蓋部材に設けられ、レバー操作により本体容器を開封して消火用水を低圧ガスの加圧により外部に放出させると共にガス容器を開封して高圧ガスを外部に放出させる微噴霧ノズル機構とが設けられたため、低圧ガスにより送り出された水を高圧ガスにより微粒子化した微噴霧を放出させることで、窒素等のガスの窒息作用と極少量の水の冷却作用、及び水が蒸発する際に膨張して火炎近くの空気（酸素）を排除する窒息作用等の相乗効果により、消火性能が高めることができる。
【００２３】
また、消火器の構造を加圧方式と蓄圧方式の混合方式としたことで、蓄圧方式の容器の腐食や何らかの原因で発生した充填ガスの漏洩が、圧力計の指示値で明確に分かり、火災時消火剤不放出を防止できるというメリットがある。
【００２４】
一方、加圧方式を併用することで、密閉式のガス容器（カートリッジ）に微噴霧消火、例えば平均粒子径が１０μｍ〜２００μｍ程度の微噴霧に必要な高圧ガスを安全に貯蔵できるため、容器破壊などの大きな事故を防止し、また、水を微細にするとともに窒素等のガスの窒息作用をして消火効果を大幅に上げることができる。
【００２５】
また、水の微噴霧に必要な十分な量の高圧ガスをガス容器（カートリッジ）に貯蔵することができ、消火器を小型化できる。この場合、ガス容器（カートリッジ）に充填された高圧ガスは、本体容器内に放出されることなく水を微細化するために外部に放出され、本体容器内の庄力は低圧の蓄圧以上に上昇しないため、使用時の容器破壊の事故を確実に防止できる。
【００２６】
また、水を送り出す低圧ガスと水を微細化する高圧ガスの両方を同じ本体容器内で提供できることになり、小型化、低コスト、構造の簡単さなど、そのメリットは非常に大きい。
【００２７】
（２流体・内部混合方式の効果）
また、微噴霧ノズル機構は、本体容器の開封により低圧ガスの加圧により送り出された消火用水とガス容器の開封で送り出された高圧ガスを内部で混合して水の微噴霧を外部に放出させるようにし、具体的には、微噴霧ノズル機構は、混合室に連通する第１導入口、第２導入口及び放出口を備えたノズル本体と、ノズル本体の第２導入口に上端が連結され、下端が水に浸漬して配置されたサイホン管と、レバー操作によりガス容器のシールを破封させ、混合室に高圧ガスを供給する破封部材と、第２導入口から混合室に至る経路に閉鎖状態で配置され、レバー操作又はガス容器から放出された高圧ガスによる作動で経路を開放して混合室に低圧ガスで加圧された水を供給するシール部材とが設けられたため、ノズル機構の混合室で高圧ガスと低圧ガスで押し出された水が混合されることから、例えば平均粒子径が数十μｍ〜２００μｍといった粒子径の比較的大きな微噴霧が放出され、主として一般火災を対象としたＡ火災消火器として使用できる。
【００２８】
（２流体・外部混合方式の効果）
また、微噴霧ノズル機構は、本体容器の開封により低圧ガスの加圧により送り出された消火用水の微噴霧を外部に放出すると共にガス容器の開封で送り出された高圧ガスを外部に放出して微噴霧と混合させ、具体的には、微噴霧ノズル機構は、第１放出口に連通する第１導入口と第２放出口に連通する第２導入口を備えたノズル本体と、ノズル本体の第２導入口に上端が連結され、下端が水に浸漬して配置されたサイホン管と、レバー操作によりガス容器のシールを破封させ、第１導入口に高圧ガスを供給して第１放出口から放出させる破封部材と、第２導入口から第２放出口に至る経路に閉鎖状態で配置され、レバー操作又はガス容器から放出された高圧ガスによる作動で経路を開放して第２導入口に低圧ガスで加圧された水を供給して第２放出口から微噴霧を放出させるシール部材とが設けられたため、例えば平均粒子径が１０μｍ〜数十μｍといった粒子径の比較的小さな微噴霧が放出され、電気火災に適したＢ火災消火器や油火災に適したＣ火災消火器として使用できる。
【００２９】
（２流体切替え方式の効果）
また、微噴霧ノズル機構は、ガス容器を開封した場合にガス容器から送り出された高圧ガスを外部に放出すると共に高圧ガスのガス圧による破封部材の作動により本体容器を開封して破封部材に低圧ガスで加圧された水圧を作用させ、高圧ガスのガス圧が低下した場合に破封部材を水圧により逆方向に作動して、低圧ガスによる水の微噴霧を外部に放出させ、具体的には、第１放出口に連通する第１導入口と第２放出口に連通する第２導入口を備えたノズル本体と、ノズル本体の第２導入口に上端が連結され、下端が水に浸漬して配置されたサイホン管と、レバー操作によりガス容器のシールを破封させ、第１導入口に高圧ガスを供給して第１放出口から放出させる破封部材と、第１シリンダ室と第２シリンダ室を連設すると共に第１シリンダ室に第１ピストンを摺動自在に収納すると共に第２シリンダ室に第１ピストンとロッド連結された第２ピストンを摺動自在に収納し、レバー操作によりガス容器から放出された高圧ガスを外部に放出させると共に第１シリンダ室に導入して第１ピストンの摺動によりロッド先端の破封部材により本体容器を開栓して第２ピストンの当接により閉鎖状態とし、高圧ガスのガス圧の低下に対し低圧ガスで加圧された水による加圧で第２ピストンを摺動させて閉鎖状態を解除することにより、低圧ガスによる水の微噴霧を外部に放出させる放出切替機構とが設けられたため、消火器のレバーを操作すると最初にガス容器から高圧ガスが放出され、窒素等のガスによる窒息作用で火力が抑制され、時間が経過して高圧ガスの圧力が低下してくると、本体容器の低圧ガスによる水の微噴霧の放出に切り替わり、微噴霧による冷却作用と窒素等のガスによる窒息作用により消火することができる。
【００３０】
（第１放出口と第２放出口の配置による効果）
また、ノズル本体の高圧ガスが放出される第１放出口は環状開口として形成され、低圧ガスによる水の微噴霧が放出される第２放出口は環状開口の中心穴として開口されたため、低圧ガスによる加圧で中心穴から放出された水の周囲を包むように環状開口から高圧ガスが放出され、水を微細化すると共に高速で微噴霧を飛翔させ、火災を効率良く抑制消火可能とする。
【００３１】
（ガスの圧力）
低圧ガスの圧力は１．０ＭＰａ以下であり、高圧ガスは２．０ＭＰａ以上であり、これにより低圧ガスは水を確実に送り出し、高圧ガスは送り出された水を例えば内部混合方式又は外部混合方式によってその範囲は変わるが、総じて平均粒子径が１０μｍ〜２００μｍ程度の微細化して微噴霧することができる。
【００３２】
（微噴霧粒子の効果）
微噴霧ノズルから放出する微噴霧の平均粒子径は１０μｍ及至２００μｍとしたため、高圧ガスの圧力を例えば２ＭＰａ以上の範囲で調整し、圧力を高くすることで平均粒子径を小さくし、圧力を低くすることで平均粒子径を大きくするといった制御が可能となり、火災の種類に対応した粒子径による微噴霧の消火器が簡単に実現できる。
【図面の簡単な説明】
【００３３】
【図１】２流体内部混合放射を行う消火器の実施形態を示した断面図
【図２】図１の消火器による窒素ガスと微噴霧の内部混合による２流体内部混合放射を示した断面図
【図３】２流体内部混合放射を行う消火器の他の実施形態を示した断面図
【図４】２流体外部混合放射を行う消火器の実施形態を示した断面図
【図５】２流体切替え放射を行う消火器の実施形態を示した断面図
【図６】図５のノズル機構を取り出して示した断面図
【図７】図６のノズル機構による高圧窒素ガスの放出状態を示した断面図
【図８】図６のノズル機構による窒素微噴霧への切替え状態を示した断面図
【発明を実施するための形態】
【００３４】
［２流体内部混合放射型消火器の実施形態］
（消火器の構造）
図１は２流体内部混合放射を行う消火器１０の実施形態を示した断面図であり、本実施形態の消火器は高圧窒素ガスと窒素微噴霧の２流体を内部で混合し、混合１流体として窒素微噴霧を放出するようにしたことを特徴とする。
【００３５】
図１に示すように、本実施形態の消火器は、本体容器１２の上部開口に蓋部材１４が配置されており、蓋部材１４の下側にはガス容器１６が配置されている。ガス容器１６は内部に高圧窒素ガスが充填された高圧カートリッジが使用され、上端の取出口はシール１６ａにより封止され、ガス容器１６には２．０ＭＰａ以上の高圧窒素ガスが充填されている。
【００３６】
また、蓋部材１４の下側にはサイホン管２２の上部がシール４８の配置により封止された状態で連結され、サイホン管２２の下端は本体容器１２の底部に近い位置に降ろされており、下端をテーパ状に切失したテーパ吸込口２２ａとしている。
【００３７】
本体容器１２の内部には少量の消火液として水２０が収納されると共に低圧窒素ガス１８が充填されている。低圧窒素ガス１８の圧力は、例えば０．７ＭＰａ〜０．９ＭＰａの範囲に設定されている。
【００３８】
本体容器１２に収納した水２０のレベルに対し、サイホン管２２の下端に形成されたテーパ吸込口２２ａは、テーパ吸込口２２ａ全体が水２０に浸漬するように配置している。
【００３９】
蓋部材１４の上部にはノズル機構２４Ａが設けられている。バルス部機構２４Ａは、ガス容器１６のシール１６ａを開封するための機構として、蓋部材１４に固定されたプランジャーケース４３に上下方向に摺動自在にプランジャー４２が配置され、プランジャー４２の下側に破封部材として機能するカッター４４が収納されている。
【００４０】
蓋部材１４には下レバー３６が固定されると共に、上レバー３８が軸ピン４０により下向き回りに回動自在に配置されている。なお、上レバー３８には安全栓４５が装着されており、安全栓４５を外さない限り、上レバー３８を押し下げることはできない。
【００４１】
プランジャー４２の上端は上レバー３８の内側に接触又は近接しており、安全栓４５を引き外して上レバー３８を押し下げると、プランジャー４２が押し込まれ、これによりカッター４４を押し込んでガス容器１６のシール１６ａを破って開封させ、これによりガス容器１６から放出された高圧窒素ガスを、プランジャー４２内の内部通路４２ａを介して第１導入口２８からノズル本体２６の混合室２７に送り込んでいる。
【００４２】
また、ノズル本体２６の下側には第２導入口３０が設けられ、第２導入口３０にはシール４８を介してサイホン管２２の上端が固定されている。第２導入口３０には、ノズル本体２６を上下に貫通したプランジャー４６の先端が位置し、プランジャー４６の先端には形成された破封部材として機能するカッター４６ａが形成されている。
【００４３】
ノズル本体２６の上側に取り出されたプランジャー４６の先端は、上レバー３８の下側に接触又は近接しており、安全栓４５を引き外して上レバー３８を押し下げると、プランジャー４６が押し込まれ、これによりカッター４６ａを押し込んで第１導入口３０を封止しているシール４８を突き破って開封させ、これにより本体容器１２内に収納している水２０を本体容器１２内に充填している低圧窒素ガス１８の力でノズル本体２６の混合室２７に送り込むようしにている。
【００４４】
ノズル本体２６は先端に放出口３２を開口しており、放出口３２にはゴム製の防護キャップ３４が装着されている。
【００４５】
なお、本体容器１２内に充填した低圧窒素ガス１８の圧力を示すために圧力計を設けても良いが、図示は省略している。
【００４６】
（窒素微噴霧の放出動作）
図２は図１の消火器による窒素ガスと微噴霧の内部混合による２流体内部混合放射を示した断面図である。
【００４７】
火災時に消火器１０を使用する場合には、図１に示した安全栓４５を抜いて上レバー３８のロックを解除し、続いて、図２に示すように、上レバー３８を押し下げる。上レバー３８が押し下げられると、プランジャー４２が押し下げられ、プランジャー４２の先端によりカッター４４も押し下げられ、カッター４４によりガス容器１６のシール１６ａが突き破られて開封し、内部に充填している高圧窒素ガス１５が点線で示すように、ノズル本体２６の第１導入口２８から混合室２７に送り込まれる。
【００４８】
また、上レバー３８が押し下げられると、プランジャー４６も押し下げられ、プランジャー４６の先端のカッター４６ａによりシール４８が突き破られて本体容器１２が開封され、容器体１２の内部に充填している低圧窒素ガス１８の加圧により水２０がサイホン管２２から第２導入口３０を通って混合室２７に送り込まれる。この場合、サイホン管２２の下端のテーパ吸込口２２ａは水２０に浸かっていることから、低圧窒素ガス１８の圧力で水２０が混合室２７に送り込まれる。
【００４９】
混合室２７では、第１導入口２８から送り込まれた高圧窒素ガス１５の高速噴流が略直交する方向から送り込まれた水２０に衝突して水を微噴霧化し、放出口３２から混合１流体としての窒素微噴霧５０が高速で噴射される。
【００５０】
なお、防護キャップ３４は高圧窒素ガスの放出で吹き飛して外すことができ、外れた防護キャップ３４を紛失しないため、紐やチェーンで連結しておくことが望ましい。
【００５１】
このため本実施形態の消火器１０から窒素微噴霧５０が放出されることで、窒素ガスの窒息作用と極少量の水の冷却作用、及び水が蒸発する際に膨張して火炎近くの空気（酸素）を排除する窒息作用等の相乗効果により、消火性能が高めることができる。
【００５２】
また、消火器１０の構造として、高圧窒素ガスを充填してガス容器１６を用いた加圧式と、本体容器１２に低圧窒素ガス１８を充填した蓄圧式の混合方式としたことで、蓄圧式の本体容器１２の腐食や何らかの原因で発生した充填ガスの漏洩が、圧力計を設けていた場合にはその指示値で明確に分かり、火災時の消火剤不放出を防止できるというメリットがある。
【００５３】
一方、高圧窒素ガスを充填してガス容器１６を用いた加圧式を併用することで、密閉式のガス容器１６（カートリッジ）に微噴霧消火、例えば平均粒子径が１０μｍ〜２００μｍ程度の微噴霧に必要な高圧窒素ガスを安全に貯蔵できるため、水を微細にするとともに窒素ガスの窒息作用をして消火効果を大幅に上げることができる。
【００５４】
また、水の微噴霧に必要な十分な量の高圧窒素ガスをガス容器１６に貯蔵することができ、消火器１０を小型化できる。この場合、ガス容器１６に充填された高圧窒素ガスは、本体容器１２内に放出されることなく水を微細化するためノズル機構２４Ａを介して外部に放出され、本体容器１２内の庄力は低圧窒素ガス１８の蓄圧０．７〜０．９ＭＰａ以上に上昇しないため、使用時の容器破壊の事故を確実に防止できる。
【００５５】
また、水２０を送り出す低圧窒素ガス１８と水を微細化する高圧窒素ガスの両方を同じ本体容器１２内で提供できることになり、小型化、低コスト、構造の簡単さなど、そのメリットは非常に大きい。
【００５６】
また、本実施形態の消火器１０は、ノズル本体２６の混合室２７で高圧窒素ガス１５を水２０と低圧窒素ガス１８の気液混合流体に衝突させて内部で水を微噴霧化していることから、微噴霧化した水の平均粒子径は数十μｍ〜２００μｍと比較的大きく、このため一般火災を対象としたＡ火災消火器としての使用に適している。
【００５７】
［２流体内部混合放射型消火器の他の実施形態］
（消火器の構造）
図３は２流体内部混合放射を行う消火器の他の実施形態を示した断面図であり、本実施形態の消火器は、レバー操作によりガス容器を開封して放出された高圧窒素ガスの力により本体容器を開封させるようにしたことを特徴とする。
【００５８】
図３に示すように、本実施形態の消火器１０は、蓋部材１４の下側に配置されたサイホン管２２の開口に配置されたシール４８を開封させる構造として、ノズル本体２６の上下方向にシリンダ５６を形成してロッド５４を備えたピストン５２を摺動自在に設け、ロッド５４の上端はプラグ５５を通して取出し、ロッド５４の下端には破封部材として機能するカッター５４ａが形成され、ピストン５２とプラグ５５の間のシリンダ室を貫通して、ガス容器１６からの高圧窒素ガスを第１導入口２８に送り込む通路を形成し、更に、ピストン５２の下側からノズル本体２６の第２導入口３０に配管３１が接続されている。
【００５９】
それ以外の構成及び機能は、図１の実施形態と同じになることから、同一符号を付して、その説明は省略する。
【００６０】
（窒素微噴霧の放出動作）
図３に示す消火器１０を火災時に使用する場合には、安全栓４５を抜いて上レバー３８のロックを解除し、続いて、上レバー３８を押し下げるとプランジャー４２が押し下げられ、プランジャー４２の先端によりカッター４４も押し下げられ、カッター４４によりガス容器１６のシール１６ａが突き破られて開封し、内部に充填している高圧窒素ガスがノズル本体２６のシリンダ室を通って第１導入口２８から混合室２７に送り込まれる。
【００６１】
このようにガス容器１６から放出された高圧窒素ガスがピストン５２の上側のシリンダ室に送り込まれると、高圧窒素ガスによる加圧を受けてピストン５２が下降し、ロッド５４の先端のカッター５４ａによりシール４８が突き破られて本体容器１２が開封され、本体容器１２の内部に充填している低圧窒素ガス１８の加圧により水２０がサイホン管２２から配管３１及び第２導入口３０を通って混合室２７に気液混合流体として送り込まれる。
【００６２】
混合室２７では、第１導入口２８から送り込まれた高圧窒素ガス１５の高速噴流が略直交する方向から送り込まれた水２０と低圧窒素ガス１８との気液混合流体に衝突して水を微噴霧化し、放出口３２から混合１流体としての窒素微噴霧が高速で噴射される。
【００６３】
このように本実施形態は、レバー操作により放出された高圧窒素ガスの力を利用して本体容器１２のシール４８を開封させることから、図１に示した上レバー３８の操作によりプランジャー４６を押し下げて本体容器１２を開閉させる場合に比べ、簡単な構造とすることができる。
【００６４】
［２流体外部混合放射型消火器の実施形態］
（消火器の構造）
図４は２流体外部混合放射を行う消火器の実施形態を示した断面図であり、本実施形態の消火器は高圧窒素ガスと水を低圧窒素ガスで微噴霧化した窒素微噴霧の２流体を外部に放出して混合させるようにしたことを特徴とする。
【００６５】
図４に示すように、本実施形態の消火器は、本体容器１２の上部開口に蓋部材１４が配置され、蓋部材１４の下側には２．０ＭＰａ以上の高圧窒素ガスが充填されたガス容器１６が配置され、また、サイホン管２２の上部がシール４８の配置により封止された状態で連結され、サイホン管２２の下端はテーパ吸込口２２ａが形成され、本体容器１２の内部には少量の水２０が収納されると共に０．７ＭＰａ〜０．９ＭＰａの低圧窒素ガス１８が充填されている。
【００６６】
蓋部材１４の上部には２流体外部混合放射型のノズル機構２４Ｂが設けられている。ノズル機構２４Ｂは、ノズル本体６０が基部６０ａ、周囲ノズル６０ｂ及び中心ノズル６０ｃで構成されており、中心ノズル６０ｃと周囲ノズル６０ｂは同軸に配置されている。
【００６７】
周囲ノズル６０ｂの後部には第１導入口６２が連通され、先端にはリング状に開口した第１放出口６６が形成されている。中心ノズル６０ｃの後部には下側から第２導入口６４が連通され、先端には中心穴となる第２放出口６８が形成されている。第１放出口６６及び第２放出口６８には防護キャップ７０が装着されている。
【００６８】
ノズル機構２４Ｂは、ガス容器１６のシール１６ａを開封するための機構として、蓋部材１４に固定されたプランジャーケース４３に上下方向に摺動自在にプランジャー４２が配置され、プランジャー４２の下側に破封部材として機能するカッター４４が収納されている。
【００６９】
蓋部材１４には下レバー３６が固定されると共に、上レバー３８が軸ピン４０により下向き回りに回動自在に配置されている。上レバー３８には安全栓４５が装着されており、安全栓４５を外さない限り、上レバー３８を押し下げることはできない。
【００７０】
プランジャー４２の上端は上レバー３８の内側に接触又は近接しており、安全栓４５を引き外して上レバー３８を押し下げると、プランジャー４２が押し込まれ、これによるカッター４４を押し込んでガス容器１６のシール１６ａを破って開封させ、これによりガス容器１６から放出された高圧窒素ガスを第１導入口６２からノズル本体６０の周囲ノズル６０ｂに送り込み、リング状に開口された第１放出口６６から筒状に高圧窒素ガスを放出させるようにしている。
【００７１】
また、ノズル本体６０の中心ノズル６０ｃに対する第２導入口６４の下側に設けたシール４８を開封させるため、ノズル本体６０の基部６０ａを上下に貫通したプランジャー４６が配置され、プランジャー４６の先端には形成された破封部材として機能するカッター４６ａが形成されている。
【００７２】
ノズル本体６０の上側に取り出されたプランジャー４６の先端は、上レバー３８の下側に接触又は近接しており、安全栓４５を引き外して上レバー３８を押し下げると、プランジャー４６が押し込まれ、これによりカッター４６ａを押し込んで第２導入口６４を封止しているシール４８を突き破って開封させ、これにより本体容器１２内に収納している水２０を本体容器１２内に充填している低圧窒素ガス１８の力でノズル本体６０の中心ノズル６０ｃに気液混合状態で送り込み、先端の第２放水口６８から窒素微噴霧の流体として放出させるようにしている。
【００７３】
なお、上レバー３８の操作によりプランジャー４２とプランジャー４６を押し下げてシール１６ａ，４８を開封させる機構は、基本的には図１の実施形態と同じになることから、同一符号で示している。
【００７４】
このようにノズル機構２４Ｂの先端のリング状の開口となる第１放出口６６からの高圧窒素ガスの放出と、中心穴となる第２放出口６８からの水と低圧窒素ガスの窒素微噴霧の放出が同時に行われることで、外部空間を飛翔する中で窒素微噴霧の中の水の微粒子が高圧窒素ガスにより更に微噴霧化されながら放出される。
【００７５】
（窒素微噴霧の放出動作）
図４に示した消火器１０を火災時に使用する場合には、安全栓４５を抜いて上レバー３８のロックを解除して押し下げると、プランジャー４２が押し下げられて先端によりカッター４４によりガス容器１６のシール１６ａが突き破られて開封し、内部に充填している高圧窒素ガス１５がノズル本体６０の第１導入口６２を通って周囲ノズル６０ｂに送り込まれ、先端の第１放出口６６から筒状に高圧窒素ガスが放出される。
【００７６】
また、上レバー３８が押し下げられると、プランジャー４６も押し下げられ、先端のカッター４６ａによりシール４８が突き破られて本体容器１２が開封され、本体容器１２の内部に充填している低圧窒素ガス１８の加圧により水２０がサイホン管２２から第２導入口６４を通って中心ノズル６０ｃに送り込まれ、先端の第２放出口６８から低圧窒素ガスにより水を微粒子化した窒素微噴霧の流体が放出される。
【００７７】
中心ノズル６０ｃから低圧窒素ガスにより水を微噴霧化した窒素微噴霧の気液混合流体は、その周囲に放出された高圧窒素ガスの高速ガス流の衝突を受けて水粒子が更に微細化され、平均粒子径が１０μｍ〜数十μｍといった比較的細かい窒素微噴霧として火炎に放出される。
【００７８】
このため本実施形態の消火器１０からは高圧窒素ガスと、低圧窒素ガスによる水の微噴霧との２流体が放出され、飛翔中に両者の混合により水粒子が更に微噴霧化された窒素微噴霧となって放出されることで、窒素等の窒素ガスの窒息作用と極少量の水の冷却作用、及び水が蒸発する際に膨張して火炎近くの空気（酸素）を排除する窒息作用等の相乗効果により、消火性能が高めることができる。
【００７９】
また、消火器１０の構造として、高圧窒素ガスを充填してガス容器１６を用いた加圧式と、本体容器１２に低圧窒素ガス１８を充填した蓄圧式の混合方式としたことで、蓄圧式の本体容器１２の腐食や何らかの原因で発生した充填ガスの漏洩が、圧力計を設けていた場合にはその指示値で明確に分かり、火災時消火剤不放出を防止できるというメリットがある。
【００８０】
一方、高圧窒素ガスを充填してガス容器１６を用いた加圧式を併用することで、密閉式のガス容器１６に微噴霧消火に必要な２．０ＭＰａ以上の高圧窒素ガスを安全に貯蔵できるため、水を微細にするとともに窒素ガスの窒息作用をして消火効果を大幅に上げることができる。
【００８１】
また、水の微噴霧に必要な十分な量の高圧窒素ガスをガス容器１６に貯蔵することができ、消火器１０を小型化できる。この場合、ガス容器１６に充填された高圧窒素ガスは、本体容器１２内に放出されることなく水を微細化するためノズル機構２４Ｂを介して外部に放出され、本体容器１２内の圧力は低圧窒素ガス１８の蓄圧０．７〜０．９ＭＰａ以上に上昇しないため、使用時の容器破壊の事故を確実に防止できる。
【００８２】
また、水２０を送り出す低圧窒素ガス１８と水を微細化する高圧窒素ガスの両方を同じ本体容器１２内で提供できることになり、小型化、低コスト、構造の簡単さなど、そのメリットは非常に大きい。
【００８３】
また、本実施形態の消火器１０は、ノズル本体２６の混合室２７で高圧窒素ガスを低圧窒素ガスにより微噴霧化した窒素微噴霧に衝突させて更に水粒子を微細化していることから、微噴霧化して水の平均粒子径が１０μｍ〜数十μｍといった粒子径の比較的小さな窒素微噴霧が放出され、電気火災に適したＢ火災消火器や油火災に適したＣ火災消火器として使用できる。
【００８４】
［２流体切替え放射型の消火器］
図５は２流体切替え放射を行う消火器の実施形態を示した断面図であり、図６は図５のノズル機構を取り出して示した断面図である。
【００８５】
（消火器の構造）
本実施形態の消火器は、消火器を使用する場合、最初に高圧窒素ガスが放出され、時間が経過すると窒素微噴霧の放出に切り替わることを特徴とする。
【００８６】
図５及び図６に示すように、本実施形態の消火器１０は、基本的な構造及び機能は、図４の２流体外部混合放射型の消火器と同じになるが、次の点が相違している。
【００８７】
本実施形態のノズル機構２４Ｂは、基部６０ａに上下方向に分けて第１シリンダ７６と第２シリンダ７８を形成し、第１シリンダ７６に第１ピストン７２を摺動自在に組み込むと共に第２シリンダ７８に第２ピストン７４を摺動自在に組込み、第１ピストン７２と第２ピストン７４はロッド８０により連結され、更に、ロッド８０は第２ピストン７４の下側に延在され、先端にシール４８を開封させるためのカッター８０ａが形成されている。
【００８８】
第１ピストン７２の上側のシリンダ室には、高圧窒素ガスが供給される第１導入口６２からの通路が連通され、第２ピストン７４の下側のシリンダ室には、本体容器１２内の低圧窒素ガス１８により加圧された水が供給される第２導入口６４と中心ノズル６０ｃに至る導入口６５が連通されている。
【００８９】
ここで、第１ピストン７２が高圧窒素ガスの圧力Ｐ１を受ける受圧面積をＳ１、第２ピストン７４が本体容器１２内の低圧窒素ガス１８の圧力Ｐ２を受ける受圧面積をＳ２とすると、
Ｓ１＜Ｓ２
となるように、第１ピストン７２の径を小さくし、第２ピストン７４の径を大きくしている。
【００９０】
また、第１ピストン７２には１本のシールリング８２が設けられているが、第２ピストン７４には２本のシールリング８４，８６が設けられており、第２ピストン７４が下端に当接した場合に、２本のシールリング８４，８６の間に中心ノズル６０ｃに対する導入口６５が位置して密閉できるように配置している。
【００９１】
（２流体放出の切替え動作）
図７は図６のノズル機構による高圧窒素ガスの放出状態を示した断面図、図８は図６の窒素微噴霧への切替え状態を示した断面図である。
【００９２】
図５及び図６に示した消火器１０を火災時に使用する場合には、安全栓４５を抜いて上レバー３８のロックを解除して押し下げると、プランジャー４２が押し下げられて先端によりカッター４４によりガス容器１６のシール１６ａが突き破られて開封し、内部に充填している高圧窒素ガス１５がノズル本体６０の第１導入口６２を通って周囲ノズル６０ｂに送り込まれ、図７に示すように、先端の第１放出口６６から筒状に高圧窒素ガス９０が放出される。
【００９３】
また、ガス容器１６から放出された高圧窒素ガスは、第１ピストン７２の上側のシリンダ室に加わり、図７に示すように、第１ピストン７２は（Ｐ１・Ｓ１）の力を受けて下降し、ロッド８０の先端のカッター８０ａによりシール４８が突き破られて本体容器１２が開封され、本体容器１２の内部に充填している低圧窒素ガス１８の加圧により水２０がサイホン管２２から第２導入口６４に供給される。
【００９４】
このとき第２ピストン７４は第２シリンダ７８の下側に当接する位置に移動し、第２ピストン７４に設けたシールリング８４，８６は、中心ノズル６０ｃに対する導入口６５の両側に位置し、中心ノズル６０ｃへの流路を閉鎖している。
【００９５】
このため第２ピストン７４には（Ｐ２・Ｓ２）となる上向きの力が加わるが、第１ピストン７２に加わっている下向きの力（Ｐ１・Ｓ１）との間には、
（Ｐ１・Ｓ１）＞（Ｐ２・Ｓ２）
の関係があるため、第１ピストン７２及び第２ピストン７４は動かず、ガス容器１６からの高圧窒素ガス９０のみが消火器１０から放出された１流体放出を維持している。
【００９６】
ガス容器１６の開封により高圧窒素ガスの放出を始めてから時間が経つと、高圧窒素ガスの圧力Ｐ１が徐々に低下し、
（Ｐ１・Ｓ１）＜（Ｐ２・Ｓ２）
となって下向きの力（Ｐ１・Ｓ１）に対し上向きの力（Ｐ２・Ｓ２）が上回ると、図８に示すように、第２ピストン７４は第１ピストン７２と共に押し上げられ、第２導入口６４が中心ノズル６０ｃに連通し、本体容器１２の内部に充填している低圧窒素ガス１８の加圧により水２０がサイホン管２２から第２導入口６４を通って中心ノズル６０ｃに送り込まれ、先端の第２放出口６８からの放出により微噴霧化された窒素微噴霧９２が放出され、２流体放出に切り替わる。
【００９７】
更に時間が経過して、ガス容器１６から放出された高圧窒素ガスの圧力Ｐ１が更に低下すると、第２ピストン７４に加わる上向きの力（Ｐ２・Ｓ２）により押し上げられ、第１ピストン７２が第１シリンダ７６の上端に当接する位置まで移動し、中心ノズル６０ｃに対する流路を完全に開き、窒素微噴霧９２を主体とした放出に切り替わる。
【００９８】
このため本実施形態の２流体切替え型の消火器によれば、消火器のレバーを操作すると最初にガス容器から高圧窒素ガスが放出され、窒素ガスによる窒息作用で火力が抑制され、時間が経過して高圧窒素ガスの圧力が低下してくると、本体容器の低圧窒素ガスにより水を微噴霧化した窒素微噴霧の放出に切り替わり、窒素微噴霧による冷却作用と窒素ガスによる窒息作用により消火することができる。
【００９９】
［本発明の変形例］
（消火液）
本実施形態にあっては、消火液として通常の水を使用しているが、不純物によるイオン化を抑制するために蒸留水や純水あるいは超純水を使用してもよい。また、消火作用のある薬剤を混入した液体としても良い。
【０１００】
（不活性ガス）
上記の実施形態は、窒息消火の窒素ガスを使用しているが、窒素ガス以外の不活性ガ  ス、例えば二酸化炭素を使用することもできる。しかし、不活性ガスとして二酸化炭  素を使用した場合、酸欠の問題があることから、屋外等の開放空間での消火器として  の使用に限定する必要がある。
【０１０１】
（ホース）
上記の実施形態は、消火上部に設けたノズルから窒素微噴霧を放出しているが、ノズル機構２４Ａ，２４Ｂのノズル部分にホースを接続し、ホース先端のノズルから窒素微噴霧を放出させるようにしても良い。
【０１０２】
（消火器サイズ）
また、消火器のサイズは必要に応じて小型、中型、大型といった適宜の容量をとすることができる。
【０１０３】
（その他）
また、本発明は上記の実施形態に限定されること無く、その目的と利点を損なうことのない適宜の変形を含み、更に上記の実施形態に示した数値による限定は受けない。
【符号の説明】
【０１０４】
１０：消火器
１２：本体容器
１４：蓋部材
１５，９０：高圧窒素ガス
１６：ガス容器
１６ａ：シール
１８：低圧窒素ガス
２０：水
２２：サイホン管
２４Ａ，２４Ｂ：ノズル機構
２６，６０：ノズル本体
２７：混合室
２８：第１導入口
３０：第２導入口
３１：配管
３２：放出口
３４，７０：防護キャップ
３６：下レバー
３８：上レバー
４０：軸ピン
４２，４６：プランジャー
４３：プランジャーケース
４４，４６ａ，５４ａ，８０ａ：カッター
４５：安全栓
４８：シール
５０，９２：窒素微噴霧
５２：ピストン
５４：ロッド
５６：シリンダ
６０ａ：基部
６０ｂ：中心ノズル
６０ｃ：周囲ズル
６２：第１導入口
６４：第２導入口
６６：第１放出口
６８：第２放出口
７２：第１ピストン
７４：第２ピストン
７６：第１シリンダ
７８：第２シリンダ
８０：ロッド
８２，８４，８６：シールリング
【図１】
2019033963.tif 000003
【図２】
2019033963.tif 000004
【図３】
2019033963.tif 000005
【図４】
2019033963.tif 000006
【図５】
2019033963.tif 000007
【図６】
2019033963.tif 000008
【図７】
2019033963.tif 000009
【図８】
2019033963.tif 000010